(57)【要約】      （修正有）【課題】プレッサーを所有する際の、本体のサイズ・デザイン・色等による設置、収納、持ち運びにおける不便さを改善し、通常のプレス機能に加えアロマ（芳香剤）器具を具えたハンカチ用のコンパクトスチームプレッサーを提供する。【解決手段】プレス面に設けられてスチームを噴出するスチーム噴出口と、スチーム噴出口から噴出されるスチームにアロマの香りを含ませるためのアロマストーン１３がセットされるアロマストーン器具１２とを備えたスチームプレッサー１。室内に置くことができ、いつでも手軽に持ち運んでハンカチのアイロンがけをすることができる。また、使用中の室内や、ハンカチに好みの香りが付き、精神のリラックス効果・ストレス解消効果を得ることができる。【選択図】図１
0003133963.tif 000002
【実用新案登録請求の範囲】
【請求項１】
家庭用プレッサーを小型化し、本体のサイズ・デザイン・色により、居住空間の美観を損なわず室内に置くことができ、いつでも手軽に持ち運び、ハンカチのアイロンがけが出来るコンパクトスチームプレッサー
【請求項２】
アロマストーン器具を具えることにより、使用中の芳香効果に加え、対象物に好みの香りをプレスすることができるため、使用後、ほのかな香りの付いたハンカチ（他、枕カバー・布小物）によって、精神のリラックス効果・ストレス解消効果を提供するコンパクトスチームプレッサー
【考案の詳細な説明】
【技術分野】
【０００１】  本考案は、家庭用プレッサーに関し、小型・アロマ（芳香剤）器具を具えたハンカチ用のコンパクトスチームプレッサーの改良に関する。
【背景技術】
【０００２】  従来のプレッサーは、電気ズボンプレッサーが主流であり、サラリーマンのズボンを対象物としているため、ビジネスホテルほか、男性がいる家庭や、単身男性の間に多く普及している。サイズ・デザイン・色  の全てにこだわったものはなく、サイズはズボンが一度でプレスできるような大型であり、本体のデザイン・色は１種類であることが大半である。このため、多くの女性はズボンプレッサーを所有しておらず、ハンカチをアイロンがけする際は、使用の都度、アイロンとアイロン台を収納場所から出し、これらを用いてアイロンがけを行っている。【０００３】  乾いたハンカチにはどんなに丁寧に干した場合でも多少のシワがついており、より綺麗に仕上げるため、スチーム機能を使用したり、霧吹き等で水分を与えてからアイロンがけをしている。【０００４】  小型の特殊なアイロンとして、アイロン台を使用しない挟みこみ式ハンディアイロンなどが普及している（例えば、実開平６−２４６９６）。【０００５】  ハンカチは、毎日身に付け使用する生活必需品であることは勿論、特に女性にとっては、身だしなみや、ファッションセンスを評価される重要なアイテムであるため、時間をかけず手軽に綺麗にアイロンがけができれば良いと考えられてきた。【０００６】  また、近年はストレス社会と呼ばれ、ストレス解消の手段として、アロマの香りによるリラグゼーション効果が大変注目されており、アロマポット・アロマキャンドル・アロマスティック・アロマビーズ・アロマストーンなど、さまざまなアロマ専用用品に加え、アロマの香りを染み込ませた携帯用小物や、アロマ効果を加えた加湿器等が普及している。【０００７】  アロマだけでなく、好みの香水・コロンの香りを普段身に付ける衣類や持ち歩くハンカチ・バック等に付けている人も多い。
【考案の開示】
【考案が解決しようとする課題】
【０００８】  通常のアイロンは、いくら小型・軽量であってもアイロン台を使用しなくてはならず、また、ズボンプレッサーではアイロン台は不要なものの、本体が大きすぎ、持ち運びが不便な上、室内に置いた場合に美観を損なうため、収納場所を選ぶ必要があった。挟み込み式ハンディアイロンは、特に小型であるため収納場所にはさほど困らないが、こちらは衣類を身に付けたままアイロンがけ出来ることを目的としているため、室内でハンカチをアイロンがけするには小さすぎ、落ち着いて作業を行うには不向きであった。こうした本体のサイズ・デザイン・色等による不便さを改善し、使い勝手が良く、より綺麗にハンカチのアイロンがけができるコンパクトスチームプレッサーを提供することを課題とする。【０００９】  現在普及しているアロマ効果を加えた加湿器にもアロマ容器が具えてあるが、この容器にはアロマオイル・アロマエッセンスを入れるため、本体を動かす際はその液体がこぼれない様注意をしなくてはならない。このような、アロマ容器を具えた器具に伴う持ち運びの不都合を解決することを課題とする。【００１０】  香りは、趣向であり個々人によりその要求が異なるため、たとえ自分の好みの香りであっても、その香りが強すぎる場合、逆に周囲の人には不快感を与えることになる場合があるため、しっかりした香りでなく、ほのかな香りをハンカチに付けることを課題とする。
【課題を解決するための手段】
【００１１】  これらの課題を解決するための請求項１の考案は、家庭用プレッサーの本体を小型化・デザイン化し、デザインの内に取手を設けたことを特徴とする、コンパクトスチームプレッサーである。居住空間の美観を損なうことがないため、室内に置くことができ、いつでも手軽に持ち運び、ハンカチのアイロンがけができる。【００１２】  また、請求項２の考案では、スチームプレッサーの上面にアロマストーン容器を設け、あらかじめ好みのアロマ（液）を染み込ませておいたアロマストーンをセットすることにより、対象物をプレスする際にアロマの香りを含んだスチームを噴出し、使用時の室内や、使用した対象物にほのかな香りをつけることができ、使用者は好みの香りにより精神のリラックス効果・ストレス解消効果を得ることができる。【００１３】  香りの素は、アロマオイルや香水・コロン（液体）などを直接使用するのではなく、一度アロマストーン（芳香剤を染み込ませた陶器の塊）に染み込ませたものを使用するため、本体を持ち運ぶ際に液体がこぼれる心配がなく、ほのかでやわらかい香りを生むことができる。
【考案の効果】
【００１４】  本考案のコンパクトスチームプレッサーにより、使用者は、従来の収納の手間を省き、自由に持ち運び、より手軽にハンカチのアイロンがけすることができる。また、その香りから精神のリラックス効果・ストレス解消効果を得ることができる。ハンカチや小物に付けたほのかな香りは、使用者のみならず周りにいる人に対しても同様の効果を生むことができ、生活必需品であるハンカチ等にこういった心遣いをすることで、使用者は、身だしなみ、ファッションセンスといった面で好印象を与えることができ、これらは良い身だしなみや細かな心遣いの大切さや社会に広めるきっかけと成りえる。
【考案を実施するための最良の形態】
【００１５】  図１は家庭用プレッサーの本体を小型化し、デザインの内にハンドル（５）を設けたことを特徴とする、コンパクトスチームプレッサー本体を表す図である。同図に示すように、スタンド（７）を設け、電源コードはリール式（１４）にし、凹凸面を最小限に抑えることによりシンプル・コンパクト感を出し、あらゆる居住空間にマッチしやすく、未使用時も室内に置いていつでも簡単に持ち運んで使用することができる。【００１６】  図２は、プレッサーを開いた状態の説明図である。上面（２）の板部分にはスチームアイロンと同様の素材を使用し、スチーム噴出口（１１）を有する。下面（３）は面を湾曲させ弾性素材を使用することにより、この面がハンカチの滑り止めとなり、使用者はハンドル（５）に少しの力を加えていくだけで、ずれることなくハンカチをプレスすることができる。【００１７】  開いた状態のままスチーム噴出ボタン（１０）を押し、スチームを噴出させれば、衣類のシワ伸ばしとして利用することができる。【００１８】  プレッサー底面（４）を後ろにスライドし、本体脚の位置を変えることにより、使用時の安定感を良くし、本体の転倒を防ぐことができる。【００１９】  図３は、使用時の状態を表すための断面図である。水タンク（９）からの蒸気がスチーム噴出口（１１）から出る際、アロマストーン器具（１２）にセットしたアロマストーン（１３）の香りを一緒に噴出するため、ハンカチにほのかな香りを付けることができる。また、噴出した香りは使用している室内にも広がるため、使用者はハンカチのプレス機能に加え、同時にリラグゼーション効果を得ることができる。【００２０】  傾斜調整バネ（８）を設け、一時的な未使用時にプレス面を離しておくことにより、過熱を防ぐことができる。【００２１】  噴出されたスチームが底面（４）の通気口（１５）から室内に出ることにより、使用中の芳香効果が得られる。【００２２】  ハンカチのほか、枕カバーなどの寝具に香りを付けることにより、好みの香りに包まれながら心地よい睡眠をとることができるため、身体の疲労解消にも効果が得られる。
【実施例１】
【００２３】  温度調整技術、スチーム噴出技術は従来のスチームアイロンのものを使うことができるのでここでの詳細な説明は省略する。
【産業上の利用可能性】
【００２４】  本考案に係るスチームコンパクトプレッサーは、工業的に量産することが可能であるため、産業上の利用可能性を有する。
【図面の簡単な説明】
【００２５】
【図１】プレッサー本体の形式
【図２】プレッサーを開いた状態の説明図
【図３】プレッサー使用時の断面図
【符号の説明】
【００２６】  １  本体
２  上面
３  下面
４  底面（スライド式）
５  ハンドル
６  ストッパー
７  スタンド
８  傾斜調整バネ
９  水タンク
１０  スチーム噴出ボタン
１１  スチーム噴出口
１２  アロマストーン器具
１３  アロマストーン
１４  電源コードリール／プラグ
１５  通気口
【図１】
0003133963.tif 000003
【図２】
0003133963.tif 000004
【図３】
0003133963.tif 000005
【手続補正書】
【提出日】平成19年5月18日(2007.5.18)
【手続補正１】
【補正対象書類名】実用新案登録請求の範囲
【補正対象項目名】全文
【補正方法】変更
【補正の内容】
【実用新案登録請求の範囲】
【請求項１】
プレス面に設けられてスチームを噴出するスチーム噴出口と、
前記スチーム噴出口から噴出される前記スチームにアロマの香りを含ませるためのアロマストーンがセットされるアロマストーン器具とを備えたことを特徴とするスチームプレッサー。
【手続補正２】
【補正対象書類名】明細書
【補正対象項目名】全文
【補正方法】変更
【補正の内容】
【考案の詳細な説明】
【技術分野】
【０００１】
本考案は、家庭用プレッサーに関し、小型・アロマ（芳香剤）器具を具えたハンカチ用のコンパクトスチームプレッサーの改良に関する。
【背景技術】
【０００２】
従来のプレッサーは、電気ズボンプレッサーが主流であり、サラリーマンのズボンを対象物としているため、ビジネスホテルほか、男性がいる家庭や、単身男性の間に多く普及している。サイズ・デザイン・色 の全てにこだわったものはなく、サイズはズボンが一度でプレスできるような大型であり、本体のデザイン・色は１種類であることが大半である。このため、多くの女性はズボンプレッサーを所有しておらず、ハンカチをアイロンがけする際は、使用の都度、アイロンとアイロン台を収納場所から出し、これらを用いてアイロンがけを行っている。
【０００３】
乾いたハンカチにはどんなに丁寧に干した場合でも多少のシワがついており、より綺麗に仕上げるため、スチーム機能を使用したり、霧吹き等で水分を与えてからアイロンがけをしている。
【０００４】
小型の特殊なアイロンとして、アイロン台を使用しない挟みこみ式ハンディアイロンなどが普及している（例えば、実開平６−２４６９６）。
【０００５】
ハンカチは、毎日身に付け使用する生活必需品であることは勿論、特に女性にとっては、身だしなみや、ファッションセンスを評価される重要なアイテムであるため、時間をかけず手軽に綺麗にアイロンがけができれば良いと考えられてきた。
【０００６】
また、近年はストレス社会と呼ばれ、ストレス解消の手段として、アロマの香りによるリラグゼーション効果が大変注目されており、アロマポット・アロマキャンドル・アロマスティック・アロマビーズ・アロマストーンなど、さまざまなアロマ専用用品に加え、アロマの香りを染み込ませた携帯用小物や、アロマ効果を加えた加湿器等が普及している。
【０００７】
アロマだけでなく、好みの香水・コロンの香りを普段身に付ける衣類や持ち歩くハンカチ・バック等に付けている人も多い。
【考案の開示】
【考案が解決しようとする課題】
【０００８】
通常のアイロンは、いくら小型・軽量であってもアイロン台を使用しなくてはならず、また、ズボンプレッサーではアイロン台は不要なものの、本体が大きすぎ、持ち運びが不便な上、室内に置いた場合に美観を損なうため、収納場所を選ぶ必要があった。挟み込み式ハンディアイロンは、特に小型であるため収納場所にはさほど困らないが、こちらは衣類を身に付けたままアイロンがけ出来ることを目的としているため、室内でハンカチをアイロンがけするには小さすぎ、落ち着いて作業を行うには不向きであった。こうした本体のサイズ・デザイン・色等による不便さを改善し、使い勝手が良く、より綺麗にハンカチのアイロンがけができるコンパクトスチームプレッサーを提供することを課題とする。
【０００９】
現在普及しているアロマ効果を加えた加湿器にもアロマ容器が具えてあるが、この容器にはアロマオイル・アロマエッセンスを入れるため、本体を動かす際はその液体がこぼれない様注意をしなくてはならない。このような、アロマ容器を具えた器具に伴う持ち運びの不都合を解決することを課題とする。
【００１０】
香りは、趣向であり個々人によりその要求が異なるため、たとえ自分の好みの香りであっても、その香りが強すぎる場合、逆に周囲の人には不快感を与えることになる場合があるため、しっかりした香りでなく、ほのかな香りをハンカチに付けることを課題とする。
【課題を解決するための手段】
【００１１】
これらの課題を解決するための考案は、家庭用プレッサーの本体を小型化・デザイン化し、デザインの内に取手を設けたことを特徴とする、コンパクトスチームプレッサーである。居住空間の美観を損なうことがないため、室内に置くことができ、いつでも手軽に持ち運び、ハンカチのアイロンがけができる。
【００１２】
また、請求項１の考案では、スチームプレッサーの上面にアロマストーン容器を設け、あらかじめ好みのアロマ（液）を染み込ませておいたアロマストーンをセットすることにより、対象物をプレスする際にアロマの香りを含んだスチームを噴出し、使用時の室内や、使用した対象物にほのかな香りをつけることができ、使用者は好みの香りにより精神のリラックス効果・ストレス解消効果を得ることができる。
【００１３】
香りの素は、アロマオイルや香水・コロン（液体）などを直接使用するのではなく、一度アロマストーン（芳香剤を染み込ませた陶器の塊）に染み込ませたものを使用するため、本体を持ち運ぶ際に液体がこぼれる心配がなく、ほのかでやわらかい香りを生むことができる。
【考案の効果】
【００１４】
本考案のコンパクトスチームプレッサーにより、使用者は、従来の収納の手間を省き、自由に持ち運び、より手軽にハンカチのアイロンがけすることができる。また、その香りから精神のリラックス効果・ストレス解消効果を得ることができる。ハンカチや小物に付けたほのかな香りは、使用者のみならず周りにいる人に対しても同様の効果を生むことができ、生活必需品であるハンカチ等にこういった心遣いをすることで、使用者は、身だしなみ、ファッションセンスといった面で好印象を与えることができ、これらは良い身だしなみや細かな心遣いの大切さや社会に広めるきっかけと成りえる。
【考案を実施するための最良の形態】
【００１５】
図１は家庭用プレッサーの本体を小型化し、デザインの内にハンドル（５）を設けたことを特徴とする、コンパクトスチームプレッサー本体を表す図である。同図に示すように、スタンド（７）を設け、電源コードはリール式（１４）にし、凹凸面を最小限に抑えることによりシンプル・コンパクト感を出し、あらゆる居住空間にマッチしやすく、未使用時も室内に置いていつでも簡単に持ち運んで使用することができる。
【００１６】
図２は、プレッサーを開いた状態の説明図である。上面（２）の板部分にはスチームアイロンと同様の素材を使用し、スチーム噴出口（１１）を有する。下面（３）は面を湾曲させ弾性素材を使用することにより、この面がハンカチの滑り止めとなり、使用者はハンドル（５）に少しの力を加えていくだけで、ずれることなくハンカチをプレスすることができる。
【００１７】
開いた状態のままスチーム噴出ボタン（１０）を押し、スチームを噴出させれば、衣類のシワ伸ばしとして利用することができる。
【００１８】
プレッサー底面（４）を後ろにスライドし、本体脚の位置を変えることにより、使用時の安定感を良くし、本体の転倒を防ぐことができる。
【００１９】
図３は、使用時の状態を表すための断面図である。水タンク（９）からの蒸気がスチーム噴出口（１１）から出る際、アロマストーン器具（１２）にセットしたアロマストーン（１３）の香りを一緒に噴出するため、ハンカチにほのかな香りを付けることができる。また、噴出した香りは使用している室内にも広がるため、使用者はハンカチのプレス機能に加え、同時にリラグゼーション効果を得ることができる。
【００２０】
傾斜調整バネ（８）を設け、一時的な未使用時にプレス面を離しておくことにより、過熱を防ぐことができる。
【００２１】
噴出されたスチームが底面（４）の通気口（１５）から室内に出ることにより、使用中の芳香効果が得られる。
【００２２】
ハンカチのほか、枕カバーなどの寝具に香りを付けることにより、好みの香りに包まれながら心地よい睡眠をとることができるため、身体の疲労解消にも効果が得られる。
【実施例１】
【００２３】
温度調整技術、スチーム噴出技術は従来のスチームアイロンのものを使うことができるのでここでの詳細な説明は省略する。
【産業上の利用可能性】
【００２４】
本考案に係るスチームコンパクトプレッサーは、工業的に量産することが可能であるため、産業上の利用可能性を有する。
【図面の簡単な説明】
【００２５】
【図１】プレッサー本体の形式
【図２】プレッサーを開いた状態の説明図
【図３】プレッサー使用時の断面図
【符号の説明】
【００２６】
１  本体
２  上面
３  下面
４  底面（スライド式）
５  ハンドル
６  ストッパー
７  スタンド
８  傾斜調整バネ
９  水タンク
１０  スチーム噴出ボタン
１１  スチーム噴出口
１２  アロマストーン器具
１３  アロマストーン
１４  電源コードリール／プラグ
１５  通気口